(57)【要約】【課題】受信装置に備えられた複数のアンテナを、電波の受信状態に応じて切り換えることにより、効率よく電波を受信することができる受信装置を提供すること。【解決手段】アンテナ素子部２又はアンテナ素子部３から、切換部６は一つのアンテナを選択する。そして、ＯＦＤＭ復調部８により抽出される受信された電波の状態に基づいて、切換部６は、アンテナ素子部２又はアンテナ素子部３を切替え、選択する。また、制御部９は、受信状態に応じて、アンテナを切り換えるタイミングの制御を行う。【選択図】図１
2008193384.tif 000002
【特許請求の範囲】
【請求項１】
電波を受信する複数のアンテナと、
前記複数のアンテナの中から一つのアンテナを選択し、切り換える切換部と、
前記切換部を制御する制御部と、を備え、
前記制御部は、前記受信した電波状況に応じて、前記切換部が選択したアンテナを切り換えるタイミングを制御することを特徴とする受信装置。
【請求項２】
前記アンテナを切り換えるタイミングは、前記切換部により選択されたアンテナを固定し、所定時間経過後に切り換えるタイミングと、前記切換部により、前記受信した電波状況に応じてアンテナを切り換えるタイミングとであることを特徴とする請求項１に記載の受信装置。
【請求項３】
前記制御部は、受信した電波におけるビット誤り率に基づいて、前記切換部が選択したアンテナを切り換えるタイミングを制御することを特徴とする請求項１又は２に記載の受信装置。
【請求項４】
前記制御部は、前記切換部によりアンテナを切り換えた回数が所定回数以上になった場合には、所定時間アンテナを切り換えず固定する制御を行うことを特徴とする請求項１から３のいずれか一項に記載の受信装置。
【発明の詳細な説明】
【技術分野】
【０００１】
本発明は、受信装置に関する。
【背景技術】
【０００２】
携帯電話等に代表される移動体通信システムでは、ビル等の電波に対する障害物の多い都市部等において、基地局と移動体通信端末との間に経路長の異なる複数の伝送路（マルチパス）が発生するマルチパス環境となることが多い。このようなマルチパス環境下では、マルチパスフェージングにより、移動体通信端末の受信電力レベルは、移動に伴い変動する。そして、場所によっては受信電力レベルが所要電力レベル（通話可能最低レベル）を下回るという問題が発生する。
【０００３】
なお、マルチパスフェージングとは、発信源からの経路長の異なる複数の伝送路（パス）を通った信号を一緒に受信した場合に、信号パスの経路長の違いによって生じる信号の位相差により、受信した信号が互いに相殺し、あるいは重畳した結果、受信場所により受信レベルが変動する現象を言う。特に、信号が互いに相殺された場合に、受信電力レベルが低下して受信機の受信限界を下回ることが携帯通信端末において問題となっている。
【０００４】
携帯及び移動体の地上デジタルテレビ放送受信機についても、移動体通信システムと同様にマルチパスフェージングの影響により受信状況が悪くなるという問題がある。
【０００５】
上記の問題に対しては、複数のアンテナを移動体端末に装備したダイバーシチ受信方式が提案されている。
【０００６】
図１０は、従来のダイバーシチ受信装置の構成図である。ＯＦＤＭデコーダ１０６、またはＭＰＥＧデコーダ１０７からの処理データに基づいて、各アンテナの受信信号のビット誤り率（ＢＥＲ：Bit Error Rate）を検出し、制御部１０９からの制御信号により、アンテナ切り換え部１０２を制御し、ビット誤り率の低いアンテナ１０１を選択するダイバーシチ受信装置が提案されている（例えば、特許文献１参照）。
【０００７】
また、受信信号強度の高いアンテナに切り換えることで受信率を向上させるダイバーシチ受信機も提案されている。通常、高速変動に追従することは難しいので信号強度の時間平均をとってしきい値とし、低速フェージングによる変動に対応するために低域通過フィルタを使用し、しきい値の上下限を設けている（例えば、特許文献２参照）。
【０００８】
また、アンテナ切換後一定時間経過して判定を行い、切換前より受信信号強度が下回る場合は、再切換を行い、Stay状態にするダイバーシチ受信機も提案されている（例えば、特許文献３参照）。
【特許文献１】特開２００２−３３６８８号公報
【特許文献２】特開２０００−２９５１５０号公報
【特許文献３】特開２０００−２９５１５１号公報
【発明の開示】
【発明が解決しようとする課題】
【０００９】
上記背景技術で説明した受信装置では、各アンテナの受信した信号のビット誤り率（ＢＥＲ）を測定して、ビット誤り率（ＢＥＲ）の低いアンテナに切換える制御を行っているが、マルチパス環境下では、ビット誤り率（ＢＥＲ）の変動が激しく、頻繁にアンテナの切換が生じて、逆に受信性能が劣化してしまう、という問題があった。また各アンテナが受信した信号のビット誤り率（ＢＥＲ）を同時に測定、比較することができないため、誤り率（ＢＥＲ）の変動が激し場合は、正確なアンテナ切換制御ができない、という問題があった。
【００１０】
上述した課題に鑑み、本発明が目的とするところは、受信装置に備えられた複数のアンテナを、電波の受信状態に応じて切り換えることにより、効率よく電波を受信することができる受信装置を提供するものである。
【課題を解決するための手段】
【００１１】
上述した課題を解決するために、本発明を適用した受信装置は、電波を受信する複数のアンテナと、前記複数のアンテナの中から一つのアンテナを選択し、切り換える切換部と、前記切換部を制御する制御部と、を備え、前記制御部は、前記受信した電波状況に応じて、前記切換部が選択したアンテナを切り換えるタイミングを制御することを特徴とする。
【００１２】
また、本発明を適用した受信装置において、前記アンテナを切り換えるタイミングは、前記切換部により選択されたアンテナを固定し、所定時間経過後に切り換えるタイミングと、前記切換部により、前記受信した電波状況に応じてアンテナを切り換えるタイミングとであることを特徴とする。
【００１３】
また、本発明を適用した受信装置において、前記制御部は、受信した電波におけるビット誤り率に基づいて、前記切換部が選択したアンテナを切り換えるタイミングを制御することを特徴とする。
【００１４】
また、本発明を適用した受信装置において、前記制御部は、前記切換部によりアンテナを切り換えた回数が所定回数以上になった場合には、所定時間アンテナを切り換えず固定する制御を行うことを特徴とする。
【発明の効果】
【００１５】
以上説明したように、本発明に記載の受信装置は、電波を受信する複数のアンテナと、前記複数のアンテナの中から一つのアンテナを選択し、切り換える切換部と、前記切換部を制御する制御部と、を備えており、前記制御部は、前記受信した電波状況に応じて、前記切換部が選択したアンテナを切り換えるタイミングを制御することとなる。したがって、受信した電波状況に応じて、アンテナを切り換えることにより、より適切なアンテナを利用して電波を受信することが可能となる。
【００１６】
また、本発明に記載の受信装置において、アンテナを切り換えるタイミングとしては、切換部により選択されたアンテナを固定し、所定時間経過後に切り換えるタイミングと、前記切換部により、前記受信した電波状況に応じてアンテナを切り換えるタイミングとを電波状況に応じて利用することとなる。したがって、アンテナを切り換える際に、所定時間経過後に切り換えるタイミングを利用することにより、頻繁にアンテナが切り換わってしまうといったことが防ぐことができる。
【００１７】
また、本発明を適用した受信装置において、制御部は、受信した電波におけるビット誤り率に基づいて、前記切換部が選択したアンテナを切り換えるタイミングを制御することとなる。
【００１８】
また、本発明を適用した受信装置において、制御部は、切換部によりアンテナを切り換えた回数が所定回数以上になった場合には、所定時間アンテナを切り換えず固定する制御を行うこととなる。したがって、アンテナが頻繁に変わってしまうといったことを防ぐことができるようになる。
【発明を実施するための最良の形態】
【００１９】
以下、本発明の一実施の形態によるアンテナ切換ダイバーシチ受信装置及び受信制御方法について図面を参照しながら説明を行う。本実施の形態によるアンテナ切換ダイバーシチ受信装置は、地上デジタル放送を受信することのできる携帯端末型のデジタル放送受信装置に関する。図１は、本実施の形態による地上デジタル放送を受信可能な携帯端末型のデジタル放送受信装置１の全体構成を示す機能ブロック図である。
【００２０】
図１に示すように、デジタル放送受信装置１は、フロントエンド部１０と、バックエンド部１５とのブロックに分かれて構成されている。また、フロントエンド部１０には、アンテナ素子部２及びアンテナ素子部３が接続されている。また、バックエンド部１５には、映像表示部１６及びオーディオ出力部１７が接続されている。
【００２１】
ここで、フロントエンド部１０は、アンテナ素子部２に接続されたアンテナ整合部４と、アンテナ素子部３に接続されたアンテナ整合部５と、切換部６と、チューナ部７と、ＯＦＤＭ復調部８と、制御部９とを備えて構成されている。また、バックエンド部１５は、ＴＳ−ＤＥＭＵＸ部１１と、映像信号処理部１２と、データ信号処理部１３と、オーディオ信号処理部１４とを備えて構成されている。
【００２２】
続いて、図１を用いてデジタル放送受信装置１の動作について説明する。まずデジタル放送受信装置１において、アンテナ素子部２で受けた放送電波からの信号は、アンテナ整合部４、切換部６を通ってチューナ部７により所望のチャンネルに選択され、ＯＦＤＭ復調部８にＩＦ信号として出力される。選択出力されたＩＦ信号は、ＯＦＤＭ復調部８においてアナログ・デジタル変換機能によりデジタル信号に変換される。デジタル信号に変換されたＩＦ信号は、同じくＯＦＤＭ復調部８により復調及び復号され、ＴＳ信号として出力される。さらに、ＯＦＤＭ復調部８は、復調された信号に基づく情報を制御部９に出力する。
【００２３】
制御部９では、受信した信号の情報により制御信号を生成し切換部６を制御する。アンテナ素子部２での受信状況が悪いと判断した場合には、切換部６により、アンテナ素子部２からアンテナ素子部３に切り換えて放送電波を受信する。上記と同様にアンテナ素子部３で受けた放送電波からの信号は、アンテナ整合部５、切換部６を通ってチューナ部７により所望のチャンネルに選択され、ＯＦＤＭ復調部８にＩＦ信号として出力される。選択出力されたＩＦ信号は、ＯＦＤＭ復調部８においてアナログ・デジタル変換機能によりデジタル信号に変換される。デジタル信号に変換されたＩＦ信号は、同じくＯＦＤＭ復調部８により復調及び復号され、ＴＳ信号として出力される。またＯＦＤＭ復調部８からの図示していない制御信号によりチューナ部７を制御する。
【００２４】
ＯＦＤＭ復調部８から出力されたＴＳ信号は、ＴＳ−ＤＥＭＵＸ部１１により多重分離され、それぞれの映像／音声／データ放送などのストリームが出力される。信号から分離されたストリーム信号はそれぞれ、映像信号処理部１２と、オーディオ信号処理部１４と、データ信号処理部１３とに出力され、各ストリーム信号の復号処理が行われる。
【００２５】
映像ストリームはＭＰＥＧ−２またはＭＰＥＧ−４ＡＶＣなどのデコード処理等が行われ、オーディオストリームでは主にＡＡＣデコード処理が行われる。データ放送はカルーセルの処理を行い、映像信号等が埋め込まれた情報も処理し、静止画や簡易動画等として出力される。
【００２６】
復号処理されたストリーム信号は、映像表示部１６及びオーディオ出力部１７から視聴可能な情報として出力される。データ信号の中に映像信号やオーディオ信号が含まれている場合は、映像信号処理部１２及びオーディオ信号処理部１４において信号処理が行われ、映像表示部１６及びオーディオ出力部１７により視聴可能な情報として出力される。テキストデータなどの場合には、図示していないＣＰＵ、ＲＡＭ上などで動作するブラウザやアプリケーションよって情報処理され、同様に映像表示部１６やオーディオ出力部１７から視聴可能な情報として出力される。フロントエンド部１０とバックエンド部１５との動作状況は、図示していないＣＰＵ等によって制御されている。
【００２７】
次に、アンテナ素子部２、及び切換部６の詳細な構成について図２を参照して説明する。図２は、アンテナ素子部２、アンテナ素子部３、アンテナ整合部４、アンテナ整合部５及び切換部６の詳細な構成を示す図である。
【００２８】
アンテナ素子部２は、アンテナ整合部４及び切換部６を介してチューナ部７に接続されている。アンテナ整合部４は、第１のコイル素子４０１及び第２のコイル素子４０２を備えて構成されている。アンテナ素子部２と第２のコイル素子４０２との間の節点と接地との間に第１のコイル素子４０１を設けることにより、チューナ部７へのインピーダンス整合を行い、受信信号をロスなくチューナ部７に入力させることができる。
【００２９】
同様に、アンテナ素子部３は、アンテナ整合部５及び切換部６を介してチューナ部７に接続されている。アンテナ整合部５は、第１のコイル素子５０１及び第２のコイル素子５０２を備えて構成されている。アンテナ素子部３と第２のコイル素子５０２との間の節点と接地との間に第１のコイル素子５０１を設けることにより、チューナ部７へのインピーダンス整合を行い、受信信号をロスなくチューナ部７に入力させることができる。
【００３０】
また、アンテナ整合部４及びアンテナ整合部５は切換部６にそれぞれ接続されている。切換部６は、制御部９から入力される制御信号により、どちらかのアンテナ整合部から出力される信号を選択し、チューナ部７に出力する。
【００３１】
図３は、デジタル放送受信装置１のチューナ部７の一構成例を示す図である。図３に示すように、チューナ部７は、ＲＦアンプ部７１と、ミキサ部７２と、ＩＦフィルタ部７３と、ＩＦアンプ部７４と、ＰＬＬ部７５とを備えて構成されている。
【００３２】
チューナ部７に入力されたＲＦ信号はＲＦアンプ部７１で増幅され、ミキサ部７２においてＰＬＬ部７５で設定された周波数に応じたＩＦ信号に変換される。そのＩＦ信号はＩＦフィルタ部７３で不要な信号成分を除去し、ＩＦアンプ部７４で増幅されて、チューナ部７から出力される。また、ＲＦアンプ部７１及びＩＦアンプ部７４での増幅率は、ＩＦアンプ部７４から出力が一定のレベルになるように、ＯＦＤＭ復調部８からＡＧＣ（オートゲインコントロール）制御される。
【００３３】
次に、制御パラメータ（ＯＦＤＭ）について説明する。図４は、本実施の形態によるデジタル放送受信装置１のフロントエンド部１０内の復調部８の一構成例を示す機能ブロック図である。切換部６の制御に使用する情報は、この復調部８から得ることができる。
【００３４】
チューナ部７においてＩＦ信号に変換された受信電波はデジタル化され、直交復調部８１へ入力される。直交復調部８１及び次段の位相補正部８２では、受信信号に対して時間領域で信号処理を行う。すなわち、時間軸データに対してフィルタ処理やキャリアクロックなどの補正処理を行い、後述するＦＦＴ部８３の取り込み開始ポイントを決め、ＦＦＴ部８３に受信信号データを出力する処理などを行う。位相補正部８２で得られたＦＦＴに関する情報は、ＦＦＴ情報出力部９３に出力される。ＦＦＴ部８３に入力された信号は、フレーム同期部８４を経て、検波部８５へ入力される。検波部８５においてＴＭＣＣ（Transmission and Multiplexing Configuration Control）情報を検出し、ＴＭＣＣ情報出力部９４に渡され、ここから出力される。
【００３５】
同じく検波部８５においては、受信電力及びＣ／Ｎに関するパラメータが検出され、受信電力出力部９５及びＣ／Ｎ出力部９６へ出力される。検波部８５から出力されたＴＳ（Transport Stream）に関する信号は、その後、周波数・時間デインターリーブ部８６、ビットデインターリーブ部８７、ビタビ復号部８８、バイトデインターリーブ部８９、エネルギー拡散部９０、ＴＳ再生部９１、ＲＳ（Reed-Solomon）復号部９２を経て、ビット誤り率（ＢＥＲ)に関するパラメータとＴＳがＢＥＲ出力部９７とＴＳ出力部９８に出力される。
【００３６】
なお、ＢＥＲは、ＲＳをＯＦＦにした時の値を出力し、基準値を満たした場合にはＲＳをＯＮにし、ＴＳを出力するように設定することも可能である。また、受信映像と受信感度を同時に表示する場合はＲＳ後のＢＥＲを検出し、ＴＳも常にデコーダ部へ送出しておくことも可能である。
【００３７】
上述した、ＦＦＴ情報出力部９３、ＴＭＣＣ情報出力部９４、受信電力出力部９５、Ｃ／Ｎ出力部９６、ＢＥＲ出力部９７及びＴＳ出力部９８は、制御部９に送る制御信号を生成する情報として使用することができる。
【００３８】
図５から図８は、制御部９の動作の一例を示すフローチャート図である。ここでは、受信信号のビット誤り率（ＢＥＲ）及びＣ／Ｎの情報を制御に使用する例を示す。なお、本実施形態においては、ビット誤り率（ＢＥＲ）を用いているが、ビット誤り率（ＢＥＲ）の代わりにパケット誤り率（ＰＥＲ）を使用しても良い。
【００３９】
図５において、処理が開始されると（ＳＴＲＡＴ）、まずステップＳ５１において制御に必要な各種パラメータの初期値を設定する。具体的には、アンテナ素子部２の期間平均Ｃ／Ｎ（１）を「０」に、アンテナ素子部３の期間平均Ｃ／Ｎ（２）を「３」に設定する。またアンテナ切換判定フラグ（ＡＦ）を「True」、ビットエラー連続回数（ＢＮ）を「０」、アンテナ切換連続回数（Ｎ）を「０」に設定する。また、受信するアンテナをデフォルトアンテナ（例えばアンテナ素子部２）として設定する。ここで、ビットエラー連続回数（ＢＮ）とは、測定したビット誤り率（ＢＥＲ）がしきい値Ｓを連続して超えた回数のことをいう。例えば、ＢＥＲがしきい値Ｓを５回連続して超えた場合は、ＢＮは「５」となる。
【００４０】
つづいて、ステップＳ５２において、アンテナ切換制御を実行するかどうか判定し、実行しない場合（ステップＳ５２；Ｎ）は制御を終了し、通常の受信制御状態に戻る。アンテナ切換制御を実行する場合（ステップＳ５２；Ｙ）はアンテナ切換制御を開始する。
【００４１】
ステップＳ５３において、判定フラグ（ＡＦ）が「True」でない場合（ステップＳ５３；Ｎ）は、長期モニターモードのフローチャート（Ｂ）に移行する。判定フラグ（ＡＦ）が「True」の場合（ステップＳ５３；Ｙ）は、ステップＳ５４に移行する。
【００４２】
ステップＳ５４では、ビット誤り回数ＢＮが「５」回を超えるかどうか判定する。ＢＮが「５」回以下の場合（ステップＳ５４；Ｎ）は、長期モニターモードのフローチャート（Ｂ）に移行する。ＢＮが「５」回より大きい場合（ステップＳ５４；Ｙ）は、短期切換モードのフローチャート（Ａ）に移行する。
【００４３】
次に図６を参照して短期切換モードのフローチャート（Ａ）について説明する。短期切換モードのフローチャート（Ａ）では、まずステップＳ６１において、アンテナを切り換える。図５のステップＳ５４で、ＢＮが「５」となった場合、すなわちＢＥＲがしきい値Ｓより大きい状態が連続して「５」回継続したアンテナがアンテナ素子部２の場合は、アンテナ素子部３に切り換える。逆に、図５のステップＳ５４でＢＥＲがしきい値Ｓより大きい状態が連続して５回継続したアンテナがアンテナ素子部３であれば、アンテナ素子部２に切り換える。
【００４４】
アンテナを切り換えた後、ステップＳ６２において、一定時間（例えば１０００ｍ秒間）、切り換えたアンテナでの受信状態を維持する。次にステップＳ６３で、再度計測されたＢＥＲに基づいて、ＢＥＲがしきい値以下かどうか判定する。ＢＥＲがしきい値Ｓ以下の場合（ステップＳ６３；Ｙ）は、ステップＳ６４に移行し、どちらのアンテナで受信しているかを判定する。
【００４５】
ステップＳ６４において、アンテナ素子部２で受信している場合（ステップＳ６４；Ｙ）、またはアンテナ素子部３で受信していて、かつアンテナ素子部２の期間平均Ｃ／Ｎ（１）がアンテナ素子部３の期間平均Ｃ／Ｎ（２）より小さい場合（ステップＳ６４；Ｙ）はステップＳ６５に移行する。ビットエラー連続回数（ＢＮ）を「０」に、アンテナ切換連続回数（Ｎ）を「０」に設定し（ステップＳ６５）、アンテナ切換判定フラグ（ＡＦ）を「False」に設定して（ステップＳ６６）、図５のフローチャートのＣに戻る。
【００４６】
ステップＳ６３及びステップＳ６４でＮの場合、ステップＳ６７に移行する。ステップＳ６７ではアンテナ切換の回数Ｎが所定の回数（例えば「３０」回）を超えているかどうか判定し所定の回数を超えている場合（ステップＳ６７；Ｙ）はステップＳ６５に移行する。アンテナ切換回数が所定の回数を超えていない場合（ステップＳ６７；Ｎ）は、ステップＳ６８において、アンテナ切換の回数Ｎをインクリメントして、再度アンテナ切換を実行する（ステップＳ６１）。
【００４７】
次に図７を参照して長期モニターモードのフローチャート（Ｂ）について説明する。長期モニターモードでは、現在受信しているアンテナで一定期間固定する。まず、アンテナの固定時間を設定する（ステップＳ７１）。例えば、ここでは「６０」秒に設定する。そして、アンテナ固定時間が経過している場合（ステップＳ７２；Ｙ）は、アンテナ切換判定フラグ（ＡＦ）を「True」に設定して（ステップＳ７３）、図５のＣのフローチャートに戻る。
【００４８】
次に、図６のステップＳ６４で使用するアンテナ素子部２の期間平均Ｃ／Ｎ（１）及びアンテナ素子部３の期間平均Ｃ／Ｎ（２）を取得するフローチャートについて、図８を参照して説明する。図８のフローチャートは、図５〜図７で説明したフローチャートと並行して動作している。
【００４９】
図８において、まずステップＳ８１において、「５００ｍ秒」間隔でＣ／Ｎを取得する。次に、ステップＳ８２において、どちらのアンテナで受信しているかを判定し、アンテナ素子部２で受信している場合（ステップＳ８２；Ｙ）は、ステップＳ８３において、例えば１０秒間の平均Ｃ／Ｎを計算し、アンテナ素子部２の期間平均Ｃ／Ｎ（１）に記録されている値を更新する。他方、アンテナ素子部３で受信している場合（ステップＳ８２；Ｎ）、ステップＳ８４において１０秒間の平均Ｃ／Ｎを計算し、アンテナ素子部３の期間平均Ｃ／Ｎ（２）に記録されている値を更新する。
【００５０】
そして、ステップＳ８５でＣ／Ｎ計測のフローチャートを終了するかどうか判定し、終了しない場合（ステップＳ８５；Ｎ）はステップＳ８１に戻り、終了する場合（ステップＳ８５；Ｙ）はＣ／Ｎ計測を終了する。
【００５１】
上記の制御方法では、制御パラメータとしてビットエラー連続回数（ＢＮ）及びＣ／Ｎの情報を使用したが、同様に図４に示した各種パラメータ、すなわち、受信電力、ＦＦＴ情報、ＴＭＣＣ情報、ＴＳ等を制御パラメータとして適用可能なことは勿論である。また、ビットエラーの連続回数（ＢＮ）ではなく、受信されたデータのビット誤り率（ＢＥＲ）を用いて判定しても良いことは勿論である。
【００５２】
ビットエラーの連続回数（ＢＮ）及びＣ／Ｎを含めた各パラメータに関しては、図１のデジタル放送受信装置１のフロントエンド部１０内の復調部８内の処理において、後の方の段階で得られる情報であり、これらのパラメータで制御することにより、より正確な制御が可能となる。すなわち、Ｃ／Ｎは、雑音レベルを考慮した受信電力（Ｃ：キャリア信号）と考えることができる。したがって受信電力だけで制御するよりも、より正確な制御が可能となる。
【００５３】
また、ビット誤り率（ＢＥＲ）を用いた場合、Ｃ／Ｎと同様に、ＢＥＲを制御パラメータとして使用することで、受信電力だけで制御するよりも、より正確な制御が可能となる。
【００５４】
また、ＴＳ情報は映像や音声信号の情報そのものであり、このＴＳ情報が得られるかどうかをしきい値に設定することにより、上記と同様の制御が可能となる。
【００５５】
一方、前の方の段階で得られる情報は、情報を得るまでの処理時間が短くできるため、より高速な制御が可能となる。具体的に説明すると、各パラメータは以下のような特徴がある。
【００５６】
ＦＦＴ情報からはＯＦＤＭ復調における同期状態を検知できる。同期がはずれたかどうかをしきい値に設定することにより、上記と同様の制御が可能となる。
【００５７】
ＴＭＣＣ情報は、階層構成や各ＯＦＤＭセグメントの伝送パラメータ等、受信機の復調動作に関わる情報である。ＴＭＣＣ情報が取得できたかどうかをしきい値に設定することにより、上記と同様の制御が可能となる。尚、ＴＭＣＣキャリアはＤＢＱＰＳＫ変調方式で変調されており、ＴＭＣＣ情報は、映像や音声信号の情報よりも受信しやすくなっているため、厳しい受信環境での制御に適している。
【００５８】
これらの情報を個別に利用して制御しても良いが、複数の情報を組み合わせて使用することも可能である。
【００５９】
図９は、受信装置１のアンテナ素子部２、アンテナ素子部３の構成例を示す模式的な図である。受信装置１の一例としてワンセグＴＶ対応携帯電話機を示した図であり、アンテナ素子部２としてＴＶ受信用のホイップアンテナを使用し、アンテナ素子部３としてイヤホン部９２に内蔵されたイヤホンアンテナを使用している。イヤホンアンテナの代わりに携帯電話の筐体そのものにアンテナ機能を持たせて、アンテナ素子部３として使用することもできる。
【００６０】
以上に説明したように、本実施の形態によるアンテナ切換ダイバーシチ受信装置は、筐体と、該筐体に設けられ、電波を受信する複数のアンテナと、該アンテナに接続される切換部と、前記アンテナにより受信された信号を基に前記切換部を制御する制御部と、を有し、前記制御部は、前記アンテナを介して受信された信号の状況に応じて、モード切換とアンテナ切換で制御することにより、不必要なアンテナ切換動作が少なくすることが可能なアンテナ切換ダイバーシチ受信装置を実現できる。
【００６１】
また、本発明のアンテナ切換ダイバーシチ受信制御方法によれば、モード切換が、短期切換モードと長期もモニターモードから構成されていることにより、不必要なアンテナ切換動作が少なくし、かつより受信状況を反映したアンテナ切換ダイバーシチ受信制御が可能となるという利点がある。
【００６２】
また、本発明のアンテナ切換ダイバーシチ受信制御方法によれば、アンテナ切換が、該アンテナ切換の判定に、誤り率がしきい値を超える連続回数とすることにより、受信状態をより反映したアンテナ切換ダイバーシチ受信制御が可能となるという利点がある。
【図面の簡単な説明】
【００６３】
【図１】本発明の実施形態による受信装置の構成例を示すブロック図である。
【図２】本発明の実施形態によるアンテナ素子部、切換部の構成例を示す図である。
【図３】本発明の実施形態によるチューナ部の詳細な構成例を示すブロック図である。
【図４】本発明の実施形態によるＯＦＤＭ復調部の詳細な構成例を示すブロック図である。
【図５】本発明の実施形態による制御部における動作の一例を説明するフローチャート図である。
【図６】本発明の実施形態による制御部における動作の一例を説明するフローチャート図である。
【図７】本発明の実施形態による制御部における動作の一例を説明するフローチャート図である。
【図８】本発明の実施形態による制御部における動作の一例を説明するフローチャート図である。
【図９】本発明の実施形態による外観構成例を示す図である。
【図１０】従来の受信装置の構成例を示すブロック図である。
【符号の説明】
【００６４】
１  デジタル放送受信装置
２、３  アンテナ素子部
４、５  アンテナ整合部
６  切換部
７  チューナ部
８  ＯＦＤＭ復調部
９  制御部
１０  フロントエンド部
１１  ＴＳ−ＤＥＭＵＸ部
１２  映像信号処理部
１３  データ信号処理部
１４  オーディオ信号処理部
１５  バックエンド部
１６  映像表示部
１７  オーディオ出力部
７１  ＲＦアンプ部
７２  ミキサ部
７３  ＩＦフィルタ部
７４  ＩＦアンプ部
７５  ＰＬＬ部
【図１】
2008193384.tif 000003
【図２】
2008193384.tif 000004
【図３】
2008193384.tif 000005
【図４】
2008193384.tif 000006
【図５】
2008193384.tif 000007
【図６】
2008193384.tif 000008
【図７】
2008193384.tif 000009
【図８】
2008193384.tif 000010
【図９】
2008193384.tif 000011
【図１０】
2008193384.tif 000012